(57)【要約】【課題】  組立性が向上し組み立て易いように改善された撮像装置及びその組立方法を提供する。【解決手段】  本発明の撮像装置は、デッキユニットとメイン基板及びカメラユニットが相互組み立てられてなるデッキアセンブリと、デッキアセンブリの一方を覆うように収容する第１の外フレーム体と、デッキユニットを露出させるドアを有する第１の外アセンブリと；相互組み立てられるディスプレイユニットと第２の外フレーム体を有し、デッキアセンブリの他方を覆う第２の外アセンブリと；デッキアセンブリの前方を覆うように組み付けられるフロントユニットと；デッキアセンブリの後方を覆うように組み付けられるリアユニットとを含む。【選択図】      図１
2005244970.tif 000002
【特許請求の範囲】
【請求項１】
デッキユニットとメイン基板及びカメラユニットが相互組み立てられてなるデッキアセンブリと；
前記デッキアセンブリの一方を覆うように収容する第１の外フレーム体と、前記デッキユニットを露出させるドアを有する第１の外アセンブリと；
相互組み立てられるディスプレイユニットと第２の外フレーム体を有し、前記デッキアセンブリの他方を覆う第２の外アセンブリと；
前記デッキアセンブリの前方を覆うように組み付けられるフロントユニットと；
前記デッキアセンブリの後方を覆うように組み付けられるリアユニットとを含むことを特徴とする撮像装置。
【請求項２】
前記メイン基板は前記デッキユニットに組み付けられ、前記カメラユニットは前記メイン基板に保持され、前記カメラユニットと前記デッキユニットは前記メイン基板にそれぞれ電気的に接続されることを特徴とする請求項１に記載の撮像装置。
【請求項３】
前記ディスプレイユニットは、前記第２の外フレーム体の外側に動き自在に設けられるＬＣＤパネルと、前記第２の外フレーム体の内側に組み付けられ、前記カメラユニットに対称して配設されるビューファインダーとを含むことを特徴とする請求項１に記載の撮像装置。
【請求項４】
前記第２の外アセンブリは、前記第２の外フレーム体の内側に保持され、前記ディスプレイユニットに電気的に接続されるサブ基板を更に含むことを特徴とする請求項１に記載の撮像装置。
【請求項５】
前記サブ基板は、前記メイン基板に電気的に接続されることを特徴とする請求項４に記載の撮像装置。
【請求項６】
前記ビューファインダーは、前記第２の外フレーム体に組み付けられるビューファインダーカバーと、前記ビューファインダーカバーに保持されたまま、前記第２の外フレーム体に組み付けられるビューファインダーとを含むことを特徴とする請求項３に記載の撮像装置。
【請求項７】
前記フロントユニットは、前記メイン基板に電気的に接続されるフロント基板と、前記フロント基板が組み付けられ、前記第１及び第２の外フレーム体に組み付けられるフロントフレーム体とを含むことを特徴とする請求項１に記載の撮像装置。
【請求項８】
前記デッキアセンブリが前記第１の外フレーム体に組み付けられた状態で、前記フロントユニットは、前記第１の外アセンブリ及び前記デッキアセンブリに組み付けられることを特徴とする請求項７に記載の撮像装置。
【請求項９】
前記フロント基板は、前記メイン基板に直接に電気的に接続されることを特徴とする請求項７に記載の撮像装置。
【請求項１０】
前記リアユニットは、前記カメラユニットを露出させる開口を有するリアフレーム体と、前記リアフレーム体に保持されるマイクとを含み、
前記第１の外アセンブリと第２の外アセンブリとが組み立てられた後、該外アセンブリに同時に組み付けられることを特徴とする請求項１に記載の撮像装置。
【請求項１１】
デッキユニットとメイン基板及びカメラユニットが相互組み立てられてなるデッキアセンブリと；前記デッキアセンブリの一方を覆う第１の外フレーム体と、前記デッキユニットを露出させるドアを有する第１の外アセンブリと；相互組み立てられるディスプレイユニットと第２の外フレーム体を有し、前記デッキアセンブリの他方を覆う第２の外アセンブリと；前記デッキアセンブリの前方を覆うように組み付けられるフロントユニットと；前記デッキアセンブリの後方を覆うように組み付けられるリアユニットとを含む撮像装置の組立方法において、
前記デッキアセンブリと、前記第１及び第２の外アセンブリと、前記フロントユニットと、リアユニットをそれぞれ単位モジュールにて用意するステップと；
前記デッキアセンブリと前記第２の外アセンブリとを組み立てるステップと；
前記フロントユニットを前記第２の外アセンブリに組み付け、前方を覆うステップと；
前記デッキアセンブリを覆うように前記第１の外アセンブリを前記第１の外アセンブリと前記フロントユニットと組み立てるステップと、
前記リアユニットを前記第１及び第２の外アセンブリに組み付け、後方を覆うステップとを含むことを特徴とする撮像装置の組立方法。
【請求項１２】
前記第１の外アセンブリは、前記ディスプレイユニットに電気的に接続されるサブ基板を更に含み、
前記第１の外アセンブリを前記第２の外アセンブリに組み付ける前に、前記サブ基板と前記メイン基板とを電気的に接続させるステップを更に含むことを特徴とする請求項１１に記載の撮像装置の組立方法。
【請求項１３】
前記メイン基板と前記サブ基板とは、信号ケーブルを用いて接続させることを特徴とする請求項１２に記載の撮像装置の組立方法。
【請求項１４】
前記フロントユニットは、前記メイン基板に接続されるフロント基板と、前記フロント基板を保持するフロントフレーム体とを含み、
前記フロントユニットの組立ステップは、
前記フロントユニットを前記フロント基板が保持されたフロントフレーム体を前記第２の外フレーム体に組み付けるステップと；
前記組付けの後、前記フロント基板を前記メイン基板に接続するステップとを含むことを特徴とする請求項１１に記載の撮像装置の組立方法。
【発明の詳細な説明】
【技術分野】
【０００１】
本発明は、動画を撮影して書き込み及び再生可能な撮像装置及びその組立方法に係る。
【背景技術】
【０００２】
一般に、撮像装置としては、テープのような記録媒体に撮像する被写体の画像及び音響等を書き込み及び再生する磁気記録／再生装置、例えば、カムコーダーが広く普及されている。
【０００３】
前記カムコーダーは、外体をなす外ケース体と、被写体を撮像するレンズユニットと、撮影した画像を書き込み／再生するデッキユニットと、ディスプレイユニット等を備える。
【０００４】
前記外ケース体は、複数のフレーム体からなる。従って、前記各ユニットをケース体に組み込んだ後、各フレーム体を最終的に組み立てることが一般的である。
【０００５】
前記レンズユニットとデッキユニット等は、外ケース体内で相互電気的に接続される。このために、外ケース体内には、メイン基板とサブ基板を含む複数の回路基板が備えられる。前記メイン基板は、前記サブ基板を含み、前記各ユニットを制御するための基板に電気的に接続される。
【０００６】
前記デッキユニットは、カセットテープを記録媒体にし、情報を書き込み／再生するための構成要素である。前記ディスプレイユニットは、撮像または再生される画像をそれぞれ独立してディスプレイするためのＬＣＤパネルと、ビューファインダーと、を含む。前記ＬＣＤパネルとビューファインダーは、外ケース体の外側に露出するように設けられ、前記メイン基板に電気的に接続されるように組み付けられる。
【０００７】
以上で説明したように、撮像装置は、複雑な構成を有する多数のデバイスから構成されているため、その組立工程が複雑で手間がかかる。従って、撮像装置を生産し組み立てる工程に要するコストが増大し、生産性の更なる向上が望めない。
【０００８】
このような点に鑑みて、撮像装置を構成する基本単位ユニットを単純化し、それらの単位ユニットを組み立てる工程を単純化しようとする工夫が講じられつつある。
【発明の開示】
【発明が解決しようとする課題】
【０００９】
本発明は、前記のような問題点を解決するためになされたものであって、その目的は、組立性が向上し且つ容易に組み立てられるように改善された撮像装置及びその組立方法を提供することである。
【課題を解決するための手段】
【００１０】
前記目的を達成するための本発明の撮像装置は、デッキユニットとメイン基板及びカメラユニットが相互組み立てられてなるデッキアセンブリと；前記デッキアセンブリの一方を覆うように収容する第１の外フレーム体と、前記デッキユニットを露出させるドアを有する第１の外アセンブリと；相互組み立てられるディスプレイユニットと第２の外フレーム体を有し、前記デッキアセンブリの他方を覆う第２の外アセンブリと；前記デッキアセンブリの前方を覆うように組み付けられるフロントユニットと；前記デッキアセンブリの後方を覆うように組み付けられるリアユニットとを含むことを特徴とする。
【００１１】
ここで、前記メイン基板は前記デッキユニットに組み付けられ、前記カメラユニットは前記メイン基板に保持され、前記カメラユニットと前記デッキユニットは前記メイン基板にそれぞれ電気的に接続されることが好ましい。
【００１２】
また、前記ディスプレイユニットは、前記第２の外フレーム体の外側に動き自在に設けられるＬＣＤパネルと、前記第２の外フレーム体の内側に組み付けられ、前記カメラユニットに対称して配設されるビューファインダーとを含むことがよい。
【００１３】
また、前記第２の外アセンブリは、前記第２の外フレーム体の内側に保持され、前記ディスプレイユニットに電気的に接続されるサブ基板を更に含むことがよい。
【００１４】
また、前記サブ基板は、前記メイン基板に電気的に接続されることがよい。
【００１５】
また、前記ビューファインダーは、前記第２の外フレーム体に組み付けられるビューファインダーカバーと、前記ビューファインダーカバーに保持されたまま、前記第２の外フレーム体に組み付けられるビューファインダーとを含むことがよい。
【００１６】
また、前記フロントユニットは、前記メイン基板に電気的に接続されるフロント基板と、前記フロント基板が組み付けられ、前記第１及び第２の外フレーム体に組み付けられるフロントフレーム体とを含むことがよい。
【００１７】
前記デッキアセンブリが前記第１の外フレーム体に組み付けられた状態で、前記フロントユニットは、前記第１の外アセンブリ及び前記デッキアセンブリに組み付けられることがよい。
【００１８】
前記フロント基板は、前記メイン基板に直接に電気的に接続されることがよい。
【００１９】
前記リアユニットは、前記カメラユニットを露出させる開口を有するリアフレーム体と、前記リアフレーム体に保持されるマイクとを含み、前記第１の外アセンブリと第２の外アセンブリとが組み立てられた後、該外アセンブリに同時に組み付けられることがよい。
【００２０】
前記目的を達成するための本発明の撮像装置の組立方法は、デッキユニットとメイン基板及びカメラユニットが相互組み立てられてなるデッキアセンブリと；前記デッキアセンブリの一方を覆う第１の外フレーム体と、前記デッキユニットを露出させるドアを有する第１の外アセンブリと；相互組み立てられるディスプレイユニットと第２の外フレーム体を有し、前記デッキアセンブリの他方を覆う第２の外アセンブリと；前記デッキアセンブリの前方を覆うように組み付けられるフロントユニットと；前記デッキアセンブリの後方を覆うように組み付けられるリアユニットとを含む撮像装置の組立方法において、前記デッキアセンブリと、前記第１及び第２の外アセンブリと、前記フロントユニットと、リアユニットをそれぞれ単位モジュールにて用意するステップと；前記デッキアセンブリと前記第２の外アセンブリとを組み立てるステップと；前記フロントユニットを前記第２の外アセンブリに組み付け、前方を覆うステップと；前記デッキアセンブリを覆うように前記第１の外アセンブリを前記第２の外アセンブリと前記フロントユニットと組み立てるステップと；前記リアユニットを前記第１及び第２の外アセンブリに組み付け、後方を覆うステップとを含むことを特徴とする。
【００２１】
ここで、前記第１の外アセンブリは、前記ディスプレイユニットに電気的に接続されるサブ基板を更に含み、前記第１の外アセンブリを前記第２の外アセンブリに組み付ける前に、前記サブ基板と前記メイン基板とを電気的に接続させるステップを更に含むことがよい。
【００２２】
前記メイン基板と前記サブ基板とは、信号ケーブルを用いて接続させることがよい。
【００２３】
前記フロントユニットは、前記メイン基板に接続されるフロント基板と、前記フロント基板を保持するフロントフレーム体とを含み、前記フロントユニットの組立ステップは、前記フロントユニットを前記フロント基板が保持されたフロントフレーム体を前記第２の外フレーム体に組み付けるステップと；前記組付けの後、前記フロント基板を前記メイン基板に接続するステップとを含むことがよい。
【発明の効果】
【００２４】
本発明の撮像装置及びその組立方法によれば、各部品を、まず組み立てられた単位モジュールにて用意した後、それらを順次に組み立てるため、容易に組み立てることができる。
【００２５】
また、メイン基板と各種の部品との電気的な接続を考慮し、各単位モジュールを決められた順の通りに組み立てるようになるため、誤組立を防止し且つ組立生産性を向上することができるという長所を有する。
【００２６】
更に、５つの単位モジュールに別体化できるため、Ａ／Ｓ時に故障個所を容易に修理し、部品の取替えが容易になるという長所を有する。
【発明を実施するための最良の形態】
【００２７】
以下、添付した図面を参照して、本発明の実施例に係る撮像装置を詳しく説明する。
【実施例１】
【００２８】
図１に示すように、本発明の実施例に係る撮像装置は、デッキアセンブリ１００と、第１の外アセンブリ２００と、第２の外アセンブリ３００と、フロントユニット４００と、リアユニット５００とを備える。
【００２９】
図２に示すように、デッキアセンブリ１００は、デッキユニット１１０と、メイン基板１２０と、カメラユニット１３０とを備える。デッキユニット１１０は、磁気テープに画像を含むデータを書き込み及び記録されたデータを再生するためのものである。この種のデッキユニット１１０は、一般に、ムービングデッキと通称され、広く知られている技術構成であるため、詳しい説明は省略する。メイン基板１２０は、デッキユニット１１０の基部側に組み付けられる。メイン基板１２０は、デッキユニット１１０と信号のやり取り可能に電気的に接続される。そして、メイン基板１２０には、カメラユニット１３０が保持される。詳述すれば、カメラユニット１３０とメイン基板１２０との間には、保持ブラケット１４０が介在し、各ユニット１２０、１３０が保持ブラケット１４０に組み付けられる。デッキユニット１１０とメイン基板１２０が縦に立てられた姿勢で、カメラユニット１３０は、メイン基板１２０の上部のいずれか一方に偏倚して配設される。
【００３０】
カメラユニット１３０もメイン基板１２０との相互間の信号のやり取りのために電気的に接続される。好ましくは、メイン基板１２０は、デッキユニット１１０とカメラユニット１３０のそれぞれに回路ケーブルを介して接続される。ここで、カメラユニット１３０は、画像を取り込むための部品であって、一般に知られている技術構成であるため、詳しい説明は省略する。
【００３１】
図３に示すように、第１の外アセンブリ２００は、デッキアセンブリ１００の一方を覆う第１の外フレーム体２１０と、第１の外フレーム体２１０に開閉自在に設けられるドア２２０とを備える。第１の外フレーム体２１０は、デッキユニット１１０とカメラユニット１３０を覆い得る形状を有し、ドア２２０が組み付けられる開口２１１を有する。開口２１１からデッキユニット１１０が外部に露出される。ドア２２０は、開口２１１を開閉すべく第１の外フレーム体２１０に組み付けられる。デッキユニット１１０に記録媒体のテープカセットを差し込む時にドア２２０を用いる。このような第１の外アセンブリ２００の内側にデッキアセンブリ１００が収められ仮組付けされる。
【００３２】
図４に示すように、第２の外アセンブリ３００は、第２の外フレーム体３１０と、第２の外フレーム体３１０に組み付けられるディスプレイユニット３２０と、サブ基板３３０とを備える。第２の外フレーム体３１０は、第１の外フレーム体２１０の相対物として、デッキアセンブリ１００の他方を覆うためのものである。この第２の外フレーム体２１０には、外側から陥没してなり、後述するＬＣＤパネル３２１を収容するパネル装着部３１１が設けられる。
【００３３】
ディスプレイユニット３２０は、第２の外フレーム体３１０に開閉自在に設けられるＬＣＤパネル３２１と、外フレーム体３１０の内側に組み付けられるビューファインダー３２５とを備える。ＬＣＤパネル３２１は、第２の外フレーム体３１０に相互交差する２軸に対し所定の角度ずつ回転可能に保持される。このＬＣＤパネル３２１は、パネル装着部３１１に収容される。
【００３４】
ビューファインダー３２５は、第２の外フレーム体３１０の内側の上端に組み付けられるビューファインダーカバー３２６と、ビューファインダーカバー３２６に組み付けられるビューファインダー３２７と、を備える。ビューファインダー３２７は、カメラユニット１３０を介して撮像したり、再生される画像をディスプレイする構成部品であって、一般の公知の構成であるため、詳しい説明は省略する。
【００３５】
サブ基板３３０は、第２の外フレーム体３１０の内側に組み付けられる。このサブ基板３３０は、ＬＣＤパネル３２１とビューファインダー３２７に相互信号のやり取りが可能に電気的に接続される。サブ基板３３０には、複数のコネクタ３３１、３３２が設けられる。このコネクタ３３１、３３２は、デッキアセンブリ１００を覆うように第２の外アセンブリ３００を、第１の外アセンブリ２００に組み付ける前に、信号ケーブル３３５、３３６を介してメイン基板１２０のコネクタ１２１、１２２に電気的に接続される。
【００３６】
図５に示すように、フロントユニット４００は、フロントフレーム体４１０と、フロントフレーム体４１０の内側面に組み付けられるフロント基板４２０を備える。フロントフレーム体４１０は、機器の前方、即ち、ビューファインダー３２５側にデッキアセンブリ１００を覆うためのものである。このフロントフレーム体４１０の前面には、バッテリが装着できるように端子４１１が設けられたバッテリ装着溝４１２が設けられる。このフロントフレーム体４１０は、第１及び第２の外フレーム体２１０、３１０に組み付けられる。そして、フロント基板４２０は、外部から入力信号を入力することができる複数の入力ボタンに対応するスイッチ４２１、４２２、４２３と、各種の信号を入出力するための複数のポート４２４、４２６を有する。そして、フロント基板４２０は、図６に示すように、メイン基板１２０のコネクタ１２３（図２参照）に直接に電気的に接続されるコネクタ４２７を有する。即ち、フロント基板４２０は、別の信号ケーブルを用いることなく、直接にメイン基板１２０に接続され保持される。
【００３７】
図１に示すように、リアユニット５００は、機器の後方、即ち、カメラユニット１３０側を覆うためのものである。このリアユニット５００は、第１及び第２の外フレーム体２１０、３１０に組み付けられるリアフレーム体５１０と、リアフレーム体５１０の内側に組み付けられるマイク５２０と、を備える。リアフレーム体５１０は、上部にカメラユニット１３０のレンズを露出させる開口５１１を有する。リアフレーム体５１０の下部の前方には、音響信号を取り込み易いように複数の穴（図示せず）が形成される。前記穴に対応する個所にマイク５２０が保持され、マイク５２０は、メイン基板１２０に図示していないケーブルを介して電気的に接続される。
【００３８】
以上で説明したように、本発明の実施例に係る撮像装置は、大別して５つの単位モジュールに一次に仮組立する。各アセンブリ及びユニットは、それぞれの組立工程を経て組み立てられる。そして、５つのアセンブリ及びユニットを、次に説明する組立過程を経て完成品として組立・生産する。
【００３９】
即ち、第一に、図１に示すように、５つの単位モジュールに組み立てられたアセンブリ１００、２００、３００、４００、５００を用意する。
【００４０】
次いで、デッキアセンブリ１００を第１の外アセンブリ２００にまず組み付ける。そうすると、図７に示すように、デッキアセンブリ１００は、第１の外アセンブリ２００により一方が覆われた状態で収容される。即ち、デッキユニット１１０と第１の外フレーム体２１０とが向かい合うようにして組み立てられ、第１の外フレーム体２１０に組み付けられるドア２２０によりデッキユニット１１０が開放自在になる。
【００４１】
引き続き、フロントユニット４００を、図８に示すように、第１の外フレーム体２１０に仮組付けする。その後、フロントパネル４２０のコネクタ４２１をメイン基板１２０のコネクタ１２３に接続して組み付ける。
【００４２】
次いで、図９に示すように、第２の外アセンブリ３００を第１の外アセンブリ２００に組み付けるに先立って、第２の外アセンブリ３００のサブ基板３２０に接続された信号ケーブル３３５、３３６をメイン基板１２０のコネクタ１２１、１２２に電気的に接続させる。そうすると、サブ基板３２０とメイン基板１２０とが接続される。このように、基板１２０、３２０同士を電気的に接続した後、第２の外アセンブリ３００を第１の外アセンブリ２００に向かい合わせて組み付ける。
【００４３】
そして、リアユニット５００は、図９に示すように、カメラユニット１３０を覆うようにフレーム体２１０、３１０の後方側からフレーム体３１０、３１０に組み付けると、図１０に示すような状態になる。この時、マイク５２０は、メイン基板１２０に接続される。前記のように、デッキアセンブリ１００を中心に４つのアセンブリ及びユニット２００、３００、４００、５００を組み立てた後、複数のスクリュー（図示せず）を用いて組み立てられたアセンブリ及びユニット１００、２００、３００、４００、５００を外部から締め付けると、製品の組立が完了する。図９では、フロントユニット４００にバッテリ６００が装着された状態を示した。
【産業上の利用可能性】
【００４４】
本発明の撮像装置及びその組立方法は、二つの以上のカメラをもつデュアルカムコーダー、デジタルカメラなどのような撮像機器のいずれにも適用可能である。
【図面の簡単な説明】
【００４５】
【図１】本発明の実施例に係る撮像装置を示す分離斜視図である。
【図２】図１に示すデッキアセンブリを抜粋して示す分離斜視図である。
【図３】図１に示す第１の外アセンブリを抜粋して示す分離斜視図である。
【図４】図１に示す第２の外アセンブリを抜粋して示す分離斜視図である。
【図５】図１に示すフロントユニットを抜粋して示す分離斜視図である。
【図６】図５に示すフロントユニットの背面斜視図である。
【図７】図１に示すデッキアセンブリと第１の外アセンブリとが組み立てられた状態を示す斜視図である。
【図８】図７の状態からフロントユニットが組み付けられた状態を示す斜視図である。
【図９】図８の状態から第２の外アセンブリが更に組み付けられた状態を示す斜視図である。
【図１０】本発明の実施例に係る撮像装置の組み立てられた状態を示す斜視図である。
【符号の説明】
【００４６】
１００  デッキアセンブリ
１１０  デッキユニット
１２０  メイン基板
１３０  カメラユニット
２００  第１の外アセンブリ
２１０  第１の外フレーム体
２２０  ドア
３００  第２の外アセンブリ
３１０  第２の外フレーム体
３２０  ディスプレイユニット
３３０  サブ基板
４００  フロントユニット
４１０  フロントフレーム体
４２０  フロント基板
５００  リアユニット
【図１】
2005244970.tif 000003
【図２】
2005244970.tif 000004
【図３】
2005244970.tif 000005
【図４】
2005244970.tif 000006
【図５】
2005244970.tif 000007
【図６】
2005244970.tif 000008
【図７】
2005244970.tif 000009
【図８】
2005244970.tif 000010
【図９】
2005244970.tif 000011
【図１０】
2005244970.tif 000012